(57)【要約】【課題】オス端子におけるメス端子への挿入性を低下させることなく、オス端子に手、指等の異物が直接、触れ難くすることができるコネクタの提供を目的とする。【解決手段】本発明のコネクタ２のオス側コネクタ部３は、オス端子５をメス端子６へ挿入した際、メス端子６の挟持手段と接触する箇所を除くオス端子５であって、少なくとも、第１ハウジング開口部１５に臨む部分から第１本体部１４に向けて、所定範囲を絶縁体で覆う絶縁部であるゴムキャップ２６と、第１ターミナルハウジング部１３の所定の収納空間Ａにおいて、オス端子５をメス端子６へ挿入した際、メス端子６の挟持手段と接触する箇所に対向する位置であって、オス端子５を上下方向から挟むように所定の収納空間Ａに突出して備えられる突出部２９と、からなることを特徴する。【選択図】  図３
2010114013.tif 000002
【特許請求の範囲】
【請求項１】
少なくとも、オス端子と、該オス端子が備えられる第１本体部と、前記オス端子の先端部を臨ませる第１ハウジング開口部を形成し前記オス端子を所定の収納空間に収納する第１ターミナルハウジング部と、を備えるオス側コネクタ部と、
少なくとも、前記オス端子が挿入されるメス端子と、を備えるメス側コネクタ部と、
からなり、前記オス側コネクタ部と前記メス側コネクタ部とを嵌合させると前記オス端子と前記メス端子とが電気的に接続されるコネクタにおいて、
前記メス端子に、前記オス端子を上下方向から挟持する挟持手段と、
前記オス側コネクタ部に、前記第１ターミナルハウジング部の所定の収納空間に収納する前記オス端子への異物の接触を抑止する接触抑止手段と、
を備え、
該接触抑止手段は、
前記オス端子を前記メス端子へ挿入した際、前記挟持手段と接触する箇所を除く前記オス端子であって、少なくとも、前記第１ハウジング開口部に臨む部分から前記第１本体部に向けて、所定範囲を絶縁体で覆う絶縁部と、
前記第１ターミナルハウジング部の所定の収納空間において、前記オス端子を前記メス端子へ挿入した際、前記挟持手段と接触する箇所に対向する位置であって、前記オス端子を上下方向から挟むように前記所定の収納空間に突出して備えられる突出部と、からなること
を特徴とするコネクタ。
【請求項２】
少なくとも、オス端子と、該オス端子が設けられる第１本体部と、前記オス端子の先端部を臨ませる第１ハウジング開口部を形成し前記オス端子を所定の収納空間に収納する第１ターミナルハウジング部と、を備えるオス側コネクタ部と、
少なくとも、前記オス端子が挿入されるメス端子と、を備えるメス側コネクタ部と、
からなり、前記オス側コネクタ部と前記メス側コネクタ部とを嵌合させると前記オス端子と前記メス端子とが電気的に接続されるコネクタにおいて、
前記メス端子に、前記オス端子を上下方向から挟持する挟持手段と、
前記オス側コネクタ部に、前記第１ターミナルハウジング部の所定の収納空間に収納する前記オス端子への異物の接触を抑止する接触抑止手段と、
を備え、
前記第１ターミナルハウジング部の所定の収納空間は、前記オス端子を前記メス端子へ挿入した際、前記挟持手段と接触する前記オス端子の上下面への異物の接触を抑止する程度に、前記第１ターミナルハウジング部の上下方向の幅が設定されており、
該接触抑止手段は、
前記オス端子を前記メス端子へ挿入した際、前記挟持手段と接触する箇所を除く前記オス端子であって、少なくとも、前記第１ハウジング開口部に臨む部分から前記第１本体部に向けて、所定範囲を絶縁体で覆う絶縁部からなること
を特徴とするコネクタ。
【請求項３】
少なくとも、オス端子と、該オス端子が設けられる第１本体部と、前記オス端子の先端部を臨ませる第１ハウジング開口部を形成し前記オス端子を所定の収納空間に収納する第１ターミナルハウジング部と、を備えるオス側コネクタ部と、
少なくとも、前記オス端子が挿入されるメス端子と、を備えるメス側コネクタ部と、
からなり、前記オス側コネクタ部と前記メス側コネクタ部とを嵌合させると前記オス端子と前記メス端子とが電気的に接続されるコネクタにおいて、
前記メス端子に、前記オス端子を上下方向から挟持する挟持手段と、
前記オス側コネクタ部に、前記第１ターミナルハウジング部の所定の収納空間に収納する前記オス端子への異物の接触を抑止する接触抑止手段と、
を備え、
前記第１ターミナルハウジング部の所定の収納空間は、前記オス端子を前記メス端子へ挿入した際、前記挟持手段と接触する前記オス端子の上下面のうちどちらか一方の面への異物の接触を抑止する程度に、前記第１ターミナルハウジング部の上下方向の幅が設定されており、
該接触抑止手段は、
前記オス端子を前記メス端子へ挿入した際、前記挟持手段と接触する箇所を除く前記オス端子であって、少なくとも、前記第１ハウジング開口部に臨む部分から前記第１本体部に向けて、所定範囲を絶縁体で覆う絶縁部と、
前記一方の面に対する他方の面において、前記オス端子を前記メス端子へ挿入した際、前記挟持手段と接触する箇所に対向する位置であって、前記オス端子に向けて前記オス端子から前記第１ターミナルハウジングまでの距離が大きい方の収納空間に突出して備えられる突出部と、からなること
を特徴とするコネクタ。
【請求項４】
平面視で前記挟持手段と接触する経路を避ける位置にある前記オス端子の先端部において、前記絶縁部が、所定量、突出していること
を特徴とする請求項１乃至請求項３記載のコネクタ。
【請求項５】
前記オス端子は、略コの字状に形成され、一対の側壁部と、前記挟持手段と接触する底部とからなり、
前記絶縁部は、前記オス端子の前記一対の側壁部の前面、外側側面、上面、及び下面であって、少なくとも、前記第１ハウジング開口部に臨む部分から前記第１本体部に向けて、所定範囲を絶縁体で覆い、且つ、前記底部の前面より、前記絶縁部で覆った前記一対の側壁部の前面の方が、所定量、突出していること
を特徴とする請求項１乃至請求項３記載のコネクタ。
【請求項６】
前記底部の端部の略中央部に、凹部を形成すること
を特徴とする請求項５記載のコネクタ。
【請求項７】
前記突出部は、正面視で、左右方向において、前記絶縁部を備えた前記オス端子とほぼ同じ幅であること
を特徴とする請求項１乃至６記載のコネクタ。
【発明の詳細な説明】
【技術分野】
【０００１】
本発明は、例えば、ハイブリット車、電気自動車などに用いられ、特に、大容量の電力を伝達する際に用いられる電力ハーネスのコネクタに採用される可能性がある技術であって、オス端子を備えるオス側コネクタ部において、該オス端子に手、指等の異物が直接、触れ難くする所謂、「タッチプロテクト」という技術に関する。
【背景技術】
【０００２】
近年、著しい進歩を遂げている、例えば、ハイブリット車、電気自動車などにおいて、モータとインバータとの間、又はインバータとバッテリーとの間のように、機器間を接続する大容量の電力を伝達する際に用いられる電力ハーネスは、その一端側には、例えば、オス端子と該オス端子を収納する第１ターミナルハウジングを備えるオス側コネクタ部と、前記オス端子と接続されるメス端子と該メス端子を収納する第２ターミナルハウジングを備えるメス側コネクタ部との２分割構成のコネクタが備えられている。
【０００３】
しかして、オス側コネクタ部のオス端子に手、指等の異物が直接、触れ難くする所謂、「タッチプロテクト」という技術がある（例えば、特許文献１乃至３）。
【０００４】
【特許文献１】特開２００８−１０８６７５号公報
【特許文献２】特開２０００−３７５０号公報
【特許文献３】特開昭６３−１９０２６９号公報
【発明の開示】
【発明が解決しようとする課題】
【０００５】
上述した特許文献で開示される技術は、オス端子の先端部に絶縁体を備える技術であるが、以下の問題があった。
【０００６】
その問題とは、オス端子をメス端子に挿入する際に発生する問題であって、オス端子の先端部の絶縁体が、メス端子内の通電用のディンプル部の凸部、又はオス端子をメス端子内の通電用のディンプル部へ押圧する際に用いるバネ部と接触することにより、メス端子へ挿入する際におけるオス端子の挿入力が増大するといった問題があった。
【０００７】
当該問題により、オス端子におけるメス端子への挿入性が悪いだけでなく、せっかく施した絶縁体が損傷してしまうという問題もあった。
【０００８】
そこで、本発明は、上述した事情に鑑み為されたもので、オス端子におけるメス端子への挿入性を低下させることなく、オス端子に手、指等の異物が直接、触れ難くすることができるコネクタの提供を目的とする。
【課題を解決するための手段】
【０００９】
上記した目的を達成するために、請求項１に係る発明においては、
少なくとも、オス端子と、該オス端子が備えられる第１本体部と、前記オス端子の先端部を臨ませる第１ハウジング開口部を形成し前記オス端子を所定の収納空間に収納する第１ターミナルハウジング部と、を備えるオス側コネクタ部と、
少なくとも、前記オス端子が挿入されるメス端子と、を備えるメス側コネクタ部と、
からなり、前記オス側コネクタ部と前記メス側コネクタ部とを嵌合させると前記オス端子と前記メス端子とが電気的に接続されるコネクタにおいて、
前記メス端子に、前記オス端子を上下方向から挟持する挟持手段と、
前記オス側コネクタ部に、前記第１ターミナルハウジング部の所定の収納空間に収納する前記オス端子への異物の接触を抑止する接触抑止手段と、
を備え、
該接触抑止手段は、
前記オス端子を前記メス端子へ挿入した際、前記挟持手段と接触する箇所を除く前記オス端子であって、少なくとも、前記第１ハウジング開口部に臨む部分から前記第１本体部に向けて、所定範囲を絶縁体で覆う絶縁部と、
前記第１ターミナルハウジング部の所定の収納空間において、前記オス端子を前記メス端子へ挿入した際、前記挟持手段と接触する箇所に対向する位置であって、前記オス端子を上下方向から挟むように前記所定の収納空間に突出して備えられる突出部と、からなること
を特徴とするコネクタである。
【００１０】
上記した目的を達成するために、請求項２に係る発明においては、
少なくとも、オス端子と、該オス端子が設けられる第１本体部と、前記オス端子の先端部を臨ませる第１ハウジング開口部を形成し前記オス端子を所定の収納空間に収納する第１ターミナルハウジング部と、を備えるオス側コネクタ部と、
少なくとも、前記オス端子が挿入されるメス端子と、を備えるメス側コネクタ部と、
からなり、前記オス側コネクタ部と前記メス側コネクタ部とを嵌合させると前記オス端子と前記メス端子とが電気的に接続されるコネクタにおいて、
前記メス端子に、前記オス端子を上下方向から挟持する挟持手段と、
前記オス側コネクタ部に、前記第１ターミナルハウジング部の所定の収納空間に収納する前記オス端子への異物の接触を抑止する接触抑止手段と、
を備え、
前記第１ターミナルハウジング部の所定の収納空間は、前記オス端子を前記メス端子へ挿入した際、前記挟持手段と接触する前記オス端子の上下面への異物の接触を抑止する程度に、前記第１ターミナルハウジング部の上下方向の幅が設定されており、
該接触抑止手段は、
前記オス端子を前記メス端子へ挿入した際、前記挟持手段と接触する箇所を除く前記オス端子であって、少なくとも、前記第１ハウジング開口部に臨む部分から前記第１本体部に向けて、所定範囲を絶縁体で覆う絶縁部からなること
を特徴とするコネクタである。
【００１１】
上記した目的を達成するために、請求項３に係る発明においては、
少なくとも、オス端子と、該オス端子が設けられる第１本体部と、前記オス端子の先端部を臨ませる第１ハウジング開口部を形成し前記オス端子を所定の収納空間に収納する第１ターミナルハウジング部と、を備えるオス側コネクタ部と、
少なくとも、前記オス端子が挿入されるメス端子と、を備えるメス側コネクタ部と、
からなり、前記オス側コネクタ部と前記メス側コネクタ部とを嵌合させると前記オス端子と前記メス端子とが電気的に接続されるコネクタにおいて、
前記メス端子に、前記オス端子を上下方向から挟持する挟持手段と、
前記オス側コネクタ部に、前記第１ターミナルハウジング部の所定の収納空間に収納する前記オス端子への異物の接触を抑止する接触抑止手段と、
を備え、
前記第１ターミナルハウジング部の所定の収納空間は、前記オス端子を前記メス端子へ挿入した際、前記挟持手段と接触する前記オス端子の上下面のうちどちらか一方の面への異物の接触を抑止する程度に、前記第１ターミナルハウジング部の上下方向の幅が設定されており、
該接触抑止手段は、
前記オス端子を前記メス端子へ挿入した際、前記挟持手段と接触する箇所を除く前記オス端子であって、少なくとも、前記第１ハウジング開口部に臨む部分から前記第１本体部に向けて、所定範囲を絶縁体で覆う絶縁部と、
前記一方の面に対する他方の面において、前記オス端子を前記メス端子へ挿入した際、前記挟持手段と接触する箇所に対向する位置であって、前記オス端子に向けて前記オス端子から前記第１ターミナルハウジングまでの距離が大きい方の収納空間に突出して備えられる突出部と、からなること
を特徴とするコネクタである。
【００１２】
請求項４に係る発明においては、
平面視で前記挟持手段と接触する経路を避ける位置にある前記オス端子の先端部において、前記絶縁部が、所定量、突出していること
を特徴とする請求項１乃至請求項３記載のコネクタである。
【００１３】
請求項５に係る発明においては、
前記オス端子は、略コの字状に形成され、一対の側面部と、前記挟持手段と接触する底部とからなり、
前記絶縁部は、前記オス端子の前記一対の側壁部の前面、外側側面、上面、及び下面であって、少なくとも、前記第１ハウジング開口部に臨む部分から前記第１本体部に向けて、所定範囲を絶縁体で覆い、且つ、前記底部の前面より、前記絶縁部で覆った前記一対の側壁部の前面の方が、所定量、突出していること
を特徴とする請求項１乃至請求項３記載のコネクタである。
【００１４】
請求項６に係る発明においては、
前記底部の端部の略中央部に、凹部を形成すること
を特徴とする請求項５記載のコネクタである。
【００１５】
請求項７に係る発明においては、
前記突出部は、正面視で、左右方向において、前記絶縁部を備えた前記オス端子とほぼ同じ幅であること
を特徴とする請求項１乃至６記載のコネクタである。
【発明の効果】
【００１６】
本発明によれば、オス端子におけるメス端子への挿入性を低下させることなく、オス端子に手、指等の異物が直接、触れ難くすることができるコネクタの提供を実現することができる。
【発明を実施するための最良の形態】
【００１７】
［実施形態１］
以下に、本発明の実施形態１に係るコネクタについて、図１乃至図１０を用いて、説明する。
【００１８】
本発明の実施形態１に係るコネクタ２は、図１及び図２に示すように、電力ハーネス１の少なくとも一端側に設けられ、オス側コネクタ部３とメス側コネクタ部４とを嵌合させると（図１の状態）、それぞれのコネクタ部内の収納空間に備えられるオス端子５と、それと対となるメス端子６とが電気的にそれぞれ接続される。
【００１９】
なお、当該電力ハーネス１は、有毒ガスの排出を低減でき、大幅な燃料低減効果のあるＨＥＶ（Ｈｙｂｒｉｄ  Ｅｌｅｃｔｒｉｃ  Ｖｅｈｉｃｌｅ）を駆動するモータとインバータ間の接続に用いられ、ＨＥＶのシステムによっては１００Ａ以上の大容量の電流が通電される。
【００２０】
しかして、オス側コネクタ部３とメス側コネクタ部４との嵌合状態（図１の状態）及び非嵌合状態（図２の状態）の切り替え、つまり、メス側コネクタ部４からのオス側コネクタ部３の脱着（オス側コネクタ部３からのメス側コネクタ部４の脱着でもある）は、メス側コネクタ部４の両側部に備えられる回動軸７を中心に回動する回動レバー８によって行われる。
【００２１】
該回動レバー８が図１に示す状態、つまり、ロック部９の位置にあるときは、オス側コネクタ部３とメス側コネクタ部４とは嵌合状態にあり、一方、回動レバー８が図１に示す状態から外れたときには、つまり、ロック部９の位置から外れたときには、オス側コネクタ部３とメス側コネクタ部４とは非嵌合状態となる。なお、回動レバー８に係る動作メカニズムは、回動軸７と、オス側コネクタ部３の両側部に備えられるスライド軸１０と、回動レバー８の両側部に備えられるスライド湾曲孔１１と、及びメス側コネクタ４の両側部に備えられるスライド直線孔１２によって達成される。しかして、回動レバー８により、メス側コネクタ部４にオス側コネクタ部３が引きつけられるため、容易に、オス側コネクタ部３とメス側コネクタ部４との嵌合状態（図１の状態）を達成することができる。更に、当該嵌合状態においては、コネクタ２は防水機能も発揮する。
【００２２】
次に、オス側コネクタ部３を説明する。
【００２３】
オス側コネクタ部３は、図１乃至図３に示すように、少なくとも、略直線状に配置された三個（三極）のオス端子５と、該三個のオス端子５が設けられ第１ターミナルハウジング部１３の所定の収納空間Ａに収納される樹脂製の第１本体部１４と、三個のオス端子５の先端部を臨ませる第１ハウジング開口部１５を形成し三個のオス端子５及び第１本体部１４を所定の収納空間Ａに収納する第１ターミナルハウジング部１３と、から構成される。
【００２４】
また、三個のオス端子５のそれぞれは、その一端部は、第１ハウジング開口部１５に臨ませる一方、その他端部は、円弧状で且つ機器側の突起部（図示しない）と係合する機器接続孔１６が形成される板状の機器側オス端子１７と接続されている（実際は、オス端子５と機器側オス端子１７とは、同じ部材で形成され一体形成となっている：図８参照）。なお、この機器側オス端子１７は、本実施形態においては、インバータ側に接続される。
【００２５】
しかして、メス端子６へ挿入されるオス端子５は、図８に示すように、横断面を略コの字状に形成され、一対の側壁部２３と、後述するメス端子６の挟持手段と接触する底部２４とからなる。これは、断面積、表面積を大きくする工夫であり、通電時の発熱軽減、通電時の熱発散性の向上に寄与している。また、オス端子５が設けられる樹脂製の第１本体部１４の損傷、変形の抑止という効果もある。なお、側壁部２３は、平面視で後述する挟持手段と接触する経路を避ける位置にあることになる。
【００２６】
また、略コの字状に形成されたオス端子５に関し、一対の側壁部２３の前面２３ａは、底部２４の前面２４aより前方に位置しており、図８に示すように、ちょうど、一対の側壁部２３の前面２３ａを含む端部が突出している構成となっている。なお、底部２４の端部２４ｂの両端には、それぞれ凹部２５が形成されている。これにより、後述するゴムキャップ２６が引っ掛け易くなっている。また、一対の側壁部２３の間隔は、指が挿入できない程度である。
【００２７】
また、第１ターミナルハウジング部１３は、金属製、例えば、アルミ製で形成されており、その内部空間は、所定の収納空間Ａを形成している。なお、本実施形態において、所定の収納空間Ａとは、第１本体部１４の端部側から第１ハウジング開口部１５までの内部空間のことを示す。また、第１ターミナルハウジング部１３には、図３に示すように、後述する突出部２９と突出部２９との間であって、又は、オス端子５とオス端子５との間であって、所定の収納空間Ａの内側に向かって突出しているガイド片３６が備えられている。このガイド片３６は、メス側コネクタ部４の収納空間に備えられているガイド溝３７（図２参照）に係合し、オス端子５とメス端子６とがスムーズに接続されるように構成されている。
【００２８】
しかして、第１ターミナルハウジング部１３の機器側オス端子１７に近い側であって、外面には、取付板部２７が形成されている。なお、該取付板部２７の四隅には、機器に取り付ける際に利用可能な取付孔２８が形成されている。
【００２９】
なお、本実施形態１では、第１本体部１４は、絶縁性の樹脂製であり、その全体が第１ターミナルハウジング部１３に内蔵されているものを示したが、内蔵されていないものであっても良い。つまり、例えば、第１ターミナルハウジング部１３が第１本体部１４の一部である端部を覆うように付設しても良い。ただ、この構成を採用する場合は、本実施形態でいうところの取付板部２７にあたる部分は、第１本体部１４の方に形成した方が良い。
【００３０】
第１本体部１４は、樹脂製であり、金型内にインサート品（オス端子５及び機器側オス端子１７）を装填した後、樹脂を注入して該インサート品を溶融樹脂で包んで固化させ、一体化するインサート成形で製造されている。
【００３１】
第１本体部１４には、オス端子５の上下方向に位置して、オス端子５の底部２４の上下面に接し、オス端子５の上下方向から挟むように突出した後述する接触抑止手段の一部である突出部２９がそれぞれ形成されている。
【００３２】
次に、本発明の要部である接触抑止手段を説明する。
【００３３】
接触抑止手段は、オス端子５をメス端子６へ挿入した際、後述する挟持手段と接触する箇所を除くオス端子５であって、少なくとも、第１ハウジング開口部１５に臨む部分から第１本体部１４に向けて、所定範囲を絶縁体で覆う絶縁部であるゴムキャップ２６と、第１ターミナルハウジング部１３の所定の収納空間Ａにおいて、オス端子５をメス端子６へ挿入した際、後述する挟持手段と接触する箇所（より詳しくは、オス端子５の底部２４の上下面）に対向する位置であって、オス端子５を上下方向から挟むように所定の収納空間Ａに突出して備えられる突出部２９と、からなる。
【００３４】
なお、ゴムキャップ２６が覆う所定範囲に関し、本実施形態１では、オス端子５の側壁部２３の前面２３ａ（図８参照）から第１本体部１４に当接するまでであった。しかし、この範囲が全てではなく、本発明と同じ効果を奏する範囲ならば、別の態様も考えられる。つまり、本実施形態１のゴムキャップ２６より短い場合であっても良い。要するに、少なくとも、オス端子５の先端部を覆っていれば十分である場合もある。
【００３５】
突出部２９は、各オス端子５に対応して、第１本体部１４から第１ハウジング開口部１５に向けて延びるように、且つ、第１ターミナルハウジング部１３の内面に沿って、第１本体部１４に備えられている。また、突出部２９は、図３に示すように、略コの字状に形成され、略コの字状の開放側が第１ターミナルハウジング部１３によって塞がれる様に構成されている。また、突出部２９の一部であって、オス端子５と対向する対向面３９は、オス端子５の底部２４を覆うように、オス端子５の底部２４と略平行に配置されている。
【００３６】
また、突出部２９の先端部、より詳しくは、第１ターミナル開口部１５側の端部の前面は、側面視で、図５に示すように、オス端子５の先端側とほぼ並んでいる。より正確には、オス端子５の底部２４の前面２４ａとほぼ並ぶように備えられている。
【００３７】
また、突出部２９の対向面３９は、図９に示すように、ゴムキャップ２６が装着状態のオス端子５から所定距離（Ｘ、Ｙ）、離間して配置されている。なお、この所定距離とは、ゴムキャップ２６が装着状態のオス端子５と突出部２９の対向面３９との間に、成人の指を横にした状態であっても、侵入できない程度である。より具体的には、５〜７ｍｍ程度である。
【００３８】
更に、突出部２９の対向面３９は、図９に示すように、正面視で、左右方向にいて、オス端子５とほぼ同じ幅となっている。つまり、側壁部２３に装着されるゴムキャップ２６の上面及び下面とも対向するように構成されている。このように構成することにより、ゴムキャップ２６が装着されていないオス端子５に、手、指等の異物が更に、直接、触れ難くすることができる。
【００３９】
しかして、図３及び図４に示すように、オス端子５には、第１ハウジング開口部１５に臨む部分を絶縁体で覆う絶縁部であるゴムキャップ２６が装着されている。よく詳しくは、オス端子５の挿入側の端部の一部であって、オス端子５の側壁部２３の前面２３ａを含む先端部を覆う共に、先端部以外は、外側側面２３ｂ、上面２３ｃ、下面２３ｄをゴムキャップ２６で覆っている（図６乃至図９参照）。
【００４０】
ゴムキャップ２６は、図４乃至図７に示すように、少なくとも、オス端子５と同様に長手方向に伸びたキャップ本体部４０と、該キャップ本体部４０の一端側に形成されオス端子５の先端部の全体を覆うポケット部４１と、該ポケット部４１と反対側であってキャップ本体部４０の一端側に備えられたリード線４２と、からなる。
【００４１】
また、ゴムキャップ２６は、オス端子５の一対の側壁部２３の前面２３ａ、外側側面２３ｂ、上面２３ｃ、及び下面２３ｄであって、少なくとも、第１ハウジング開口部１５に臨む部分から第１本体部１４に向けて、所定範囲をゴムキャップ２６で覆い、且つ、オス端子５の底部２４の前面２４ａより、ゴムキャップ２６で覆った一対の側壁部２３の前面２３ａの方が、所定量、突出している。なお、本実施形態１では、ここでの所定量に関し、指の形状を考慮して、適宜、設定した。
【００４２】
このように構成することにより、オス端子５の底部２４の前面２４ａを絶縁体で覆わなくても、オス端子５の底部２４の前面２４ａに、手、指等といった異物が接触し難くすることができる。
【００４３】
しかして、ゴムキャップ２６をオス端子５に装着する作業に関し、図３乃至図６を用いて、以下に説明する。
【００４４】
ゴムキャップ２６のポケット部４１をオス端子５の先端部に覆い被せ、リード線４２の一端部を第１本体部１４の所定位置に形成された孔３８に通し、第１本体部１４の反対側からリード線４２の一端部を出す。そして、反対側の孔３８から出たリード線４２の一端部を更に引っ張り、リード線４２の所定箇所に形成された係止部４３が反対側の孔３８より外に出たところで、リード線４２を引っ張るのを止める。すると、オス端子５の先端部にゴムキャップ２６が引っ張られた状態となり、１つのオス端子５に対するゴムキャップ２６の装着作業が完了する。なお、当該装着作業が完了した状態において、第１本体部１４から飛び出した不必要なリード線４２の一端部は必要に応じてカットしても良い。
【００４５】
第１本体部１４には、振動吸収用の振動吸収マット４４が貼付されている。これにより、オス側コネクタ部３とメス側コネクタ部４との嵌合状態が、がたつき難くなる。つまり、嵌合状態の安定性に寄与している。
【００４６】
次に、メス側コネクタ部４を説明する。
【００４７】
メス側コネクタ部４は、図２に示すように、少なくとも、三個のオス端子５と対となる三個のメス端子６と、三個のメス端子６の端部をそれぞれ臨ませる三つのメス端子開口部１８を形成すると共に三個のメス端子６をそれぞれの所定の収納空間へ収納するメス端子ボックス１９と、三個のメス端子６及びメス端子ボックス１９が設けられる第２本体部（図示しない）と、三個のメス端子開口部１８を臨ませる第２ハウジング開口部２０を形成すると共にメス端子ボックス１９及び第２本体部（図示しない）を所定の収納空間に収納する第２ターミナルハウジング部２１と、から構成される。
【００４８】
また、メス端子ボックス１９は、樹脂製であり、三個のメス端子６がそれぞれ収納することができる三つの収納空間が形成されている。つまり、本実施形態でいうところのメス端子ボックスとは、少なくともメス端子を収納する収納空間を複数形成している構成ならば、何でも良い。
【００４９】
また、メス端子６は、一端部には、電線２２が接続されている。接続される電線２２は、耐熱性及び耐油性に優れた電線であり、例えば、中心導体（銅、又はアルミ）−絶縁体（架橋ポリエチレン）−シールド−シールの構成で構成されている。なお、メス端子６の本体は、略箱状に形成され、その内部には、オス端子５を上下方向から挟持する挟持手段を備えている。
【００５０】
挟持手段は、図１０に示すように、メス端子６の内側の底面部３０に形成され、凸部３１を含むディンプル部３３と、オス端子５を上方から底部２４に向けて押圧するバネ部３２とから構成されている。つまり、ディンプル部３３の凸部３１とバネ部３２によって、オス端子５の上下面に接し、オス端子５を上下方向から挟持することになる。なお、オス端子５とメス端子６との通電は、ディンプル部３３の凸部３１とオス端子５の底部２４との接触によって達成されている。
【００５１】
本出願において、オス端子５における「オス端子をメス端子へ挿入した際、挟持手段と接触する箇所」とは、図１０で示せば、オス端子５の底部２４の上下面、又は、オス端子５の底部２４において、ディンプル部３３と接触する側の面であるディンプル側接触面３５、及びバネ部３２と接触する側の面であるバネ側接触面３４のことである。
【００５２】
また、図１０に示すように、オス端子５にゴムキャップ２６が装着されている状態において、オス端子５の側壁部２３の下方を覆うゴムキャップ２６の下端部４７とメス端子６の底面部３０とが接触しないように、凸部３１の高さを調整している。
【００５３】
また、第２ターミナルハウジング部２１は、金属製、例えば、アルミ製で形成されている。なお、上述した第１ターミナルハウジング部１３と第２ターミナルハウジング部２１とは、オスとメスの関係であり、本実施形態１においては、第１ターミナルハウジング部１３の方がオス側ターミナルハウジング部であり、一方、第２ターミナルハウジング部２１の方は、メス側ターミナルハウジング部である。
【００５４】
［実施形態２］
以下に、本発明の実施形態２に係るコネクタについて、図１１乃至図１４を用いて、説明する。
【００５５】
本発明の実施形態２に係るコネクタは、上述した実施形態１に係るコネクタ２と同様の部分が多いため、以下の説明では、相違する点のみとする。なお、図１１乃至図１４に示す実施形態２に係る図面において、上述した実施形態１に係るコネクタ２と同様の構成要素には、同一の符号を付してある。
【００５６】
本発明の実施形態２に係るコネクタに関し、上述した実施形態１に係るコネクタ２との相違点は、以下の通り。
【００５７】
第１に、図１３に示すように、ゴムキャップ２６を無くし、ゴムキャップ２６の部分をカバー部４５として、第１本体部１４のインサート成形の際、一緒に形成した点である。なお、図１３には、オス端子５は省略されている。この様に構成することにより、ゴムキャップの装着作業が無くなり、製造効率がアップする。なお、カバー部４５は、ゴムキャップ２６のようなポケット部４１は存在しない。
【００５８】
第２に、図１４に示すように、オス端子５の一端側に関し、オス端子５の底部２４より側壁部２３が突出している構造となっていない点である。つまり、インサート成形とした場合、図８のように、オス端子５の側壁部２３を突出させなくても、オス端子５の側壁部２３の前面２３ａを所定の厚さの絶縁性の樹脂で覆うことができるためである。結局、オス端子５を樹脂で覆うと、側面視では、図６及び図７とほぼ同様な構成となる。
【００５９】
第３に、図１４に示すように、オス端子５の底部２４の略中央部に凹部４６を形成した点である。このように構成することにより、つまり、指の先端部の形状に、底部２４の前面２４ａの形状を合わせることができ、更に、オス端子５の底部２４、及び、底部２４の前面２４ａに触れ難くすることができる。
【００６０】
［実施形態の変形例１］
上記実施形態１及び２では、第１ターミナルハウジング部１３の所定の収納空間Ａにおいて、オス端子５をメス端子６へ挿入した際、メス端子６に備えられる挟持手段と接触する箇所に対向する位置であって、オス端子５を上下方向から挟むように所定の収納空間Ａに突出して備えられる突出部２９が備えられていたが、以下の構成とすることもできる。
【００６１】
つまり、上記実施形態１及び２では、第１ターミナルハウジング部１３の所定の収納空間Ａが大きく、オス端子５の上下方向から挟むように突出部２９を備えていたが、どちらか一方、若しくは、両方の突出部２９を省略できるように、第１ターミナルハウジング部１３の上下方向の幅を設定するようにしても良い。
【００６２】
このように構成しても、オス端子５をメス端子６へ挿入した際、メス端子６の挟持手段と接触するオス端子５の上下面への異物の接触を抑止することができる。
【００６３】
［実施形態の変形例２］
上記実施形態１及び２、上記実施形態の変形例１では、所謂、「三極型コネクタ」であるが、所謂、「単極型コネクタ」に対しても適用することができる。
【００６４】
［実施形態の変形例３］
上記実施形態１及び２、上記実施形態の変形例１及び２では、オス端子５に関し、略コの字状に形成されていたが、別の形状であっても良い（例えば、直線形状）。
【００６５】
［実施形態の変形例４］
上記実施形態１及び２、上記実施形態の変形例１、変形例２、及び変形例３では、突出部２９は、第１本体部１４と一体に形成されていたが、別体に構成し、第１本体部１４に備える構成としても良い。また、別の態様として、第１ターミナルハウジング部１３の方に、突出部２９を一体に形成しても、別体に構成し、第１ターミナルハウジング部１３に備える構成としても良い。なお、上記実施形態１及び２、上記実施形態の変形例１、変形例２、及び変形例３では、第１本体部１４を第１ターミナルハウジング部１３の第１ハウジング開口部１５側から挿入することで、第１本体部１４と第１ターミナルハウジング１３との係合構造（図５乃至図７参照）を達成していたが、上述した別の態様の場合、この係合構造を変更する必要がある。例えば、第１本体部１４を第１ハウジング開口部１５の反対側の開口から挿入するとか、第１ハウジング開口部１５の反対側の開口に係る開口面積を突出部２９を考慮して狭くするとか、という構造が考えられる。
【図面の簡単な説明】
【００６６】
【図１】本発明の実施形態１に係るコネクタが備えられた電力ハーネスの斜視図である。
【図２】本発明の実施形態１に係るコネクタに関し、オス側コネクタ部とメス側コネクタ部とが分離した様子を説明する説明図である。
【図３】本発明の実施形態１に係るコネクタに関し、オス側コネクタ部の第１ターミナルハウジング部の内部を説明する説明図である。
【図４】本発明の実施形態１に係るコネクタに関し、ゴムキャップをオス端子の先端部に覆い被せようとする様子を説明する説明図である。
【図５】本発明の実施形態１に係るコネクタに関し、図４に示すＢ−Ｂ断面に係る断面図である。
【図６】本発明の実施形態１に係るコネクタに関し、図３に示すＣ−Ｃ断面に係る断面図である。
【図７】本発明の実施形態１に係るコネクタに関し、図３に示すＤ−Ｄ断面に係る断面図である。
【図８】本発明の実施形態１に係るコネクタに関し、オス端子と機器側オス端子とが一体形成であることを説明する説明図である。
【図９】本発明の実施形態１に係るコネクタに関し、オス側コネクタ部の第１ターミナルハウジング部の内部を示す正面図である。
【図１０】本発明の実施形態１に係るコネクタに関し、メス端子の挟持手段によって、オス端子を上下方向から挟持させる様子を説明する説明図である。
【図１１】本発明の実施形態２に係るコネクタに関し、オス側コネクタ部の第１ターミナルハウジング部の内部を説明する説明図である。
【図１２】本発明の実施形態２に係るコネクタに関し、オス側コネクタ部の第１ターミナルハウジング部の内部を示す正面図である。
【図１３】本発明の実施形態２に係るコネクタに関し、第１本体部の斜視図である。
【図１４】本発明の実施形態２に係るコネクタに関し、オス端子と機器側オス端子とが一体形成であることを説明する説明図である。
【符号の説明】
【００６７】
１  ・・・  電力ハーネス
２  ・・・  コネクタ
３  ・・・  オス側コネクタ部
４  ・・・  メス側コネクタ部
５  ・・・  オス端子
６  ・・・  メス端子
７  ・・・  回動軸
８  ・・・  回動レバー
９  ・・・  ロック部
１０・・・  スライド軸
１１・・・  スライド湾曲孔
１２・・・  スライド直線孔
１３・・・  第１ターミナルハウジング部
１４・・・  第１本体部
１５・・・  第１ハウジング開口部
１６・・・  機器接続孔
１７・・・  機器側オス端子
１８・・・  メス端子開口部
１９・・・  メス端子ボックス
２０・・・  第２ハウジング開口部
２１・・・  第２ターミナルハウジング部
２２・・・  電線
２３・・・  側壁部
２４・・・  底部
２６・・・  ゴムキャップ
２７・・・  取付板部
２８・・・  取付孔
２９・・・  突出部
３０・・・  底面部
３２・・・  バネ部
３３・・・  ディンプル部
３４・・・  バネ側接触面
３５・・・  ディンプル側接触面
３６・・・  ガイド片
３７・・・  ガイド溝
３９・・・  対向面
４０・・・  キャップ本体部
４１・・・  ポケット部
４２・・・  リード線
４３・・・  係止部
４４・・・  振動吸収マット
４５・・・  カバー部
【図１】
2010114013.tif 000003
【図２】
2010114013.tif 000004
【図３】
2010114013.tif 000005
【図４】
2010114013.tif 000006
【図５】
2010114013.tif 000007
【図６】
2010114013.tif 000008
【図７】
2010114013.tif 000009
【図８】
2010114013.tif 000010
【図９】
2010114013.tif 000011
【図１０】
2010114013.tif 000012
【図１１】
2010114013.tif 000013
【図１２】
2010114013.tif 000014
【図１３】
2010114013.tif 000015
【図１４】
2010114013.tif 000016